(57)【要約】      （修正有）【課題】卓上でも使用でき、しかも対象物を効率的に圧潰可能なプレス型ハンマーを提供する。【解決手段】プレス型ハンマー１は、天板２と、底板３と、底板と天板に固定されるガイド部材４と、ガイド部材が緩挿され、ガイド部材に沿ってスライドするスライド板５と、スライド板上部に固定され、天板に緩挿される支持部材６とにより構成される。また、スライド板下面は水平方向に平板に形成する。上記の構成により、スライド板５はガイド部材４に沿って上下方向に往復動を行うことが可能になる。スライド板５の上部には支持部材６が取り付けられており、支持部材６の頂部に設けられた把手６ａを握って上下運動を行えば、スライド板が上下動すなわち殴打動作を行うことになる。【選択図】図１
0003173859.tif 000002
【実用新案登録請求の範囲】
【請求項１】
天板（２）と、
底板（３）と、
底板（３）と天板（２）に固定されるガイド部材（４）と、  
ガイド部材（４）が緩挿され、ガイド部材（４）に沿ってスライドするスライド板（５）と、
スライド板（５）上部に固定され、天板（２）に緩挿される支持部材（６）と、
により成る圧潰裁断機。
【請求項２】
スライド板（５）下面が水平方向に平板に形成される請求項１に記載の圧潰裁断機。
【請求項３】
スライド板（５）の下面に刃物（７）を取り付けたことを特徴とする請求項１に記載の圧潰裁断機。
【考案の詳細な説明】
【技術分野】
【０００１】
本考案は、圧潰、殴打及び裁断が可能な圧潰裁断機に関する。
【背景技術】
【０００２】
特開２００７−２３７１８３号公報には、水道水などの液体の圧力を動力源とするピストンの上下動により対象物を圧潰する装置が開示されている。
【０００３】
特開２００６−１２２９９８号公報には、ガイドレールに沿って押圧体をスライドさせることにより、基台と押圧体との間でペットボトルもしくは空き缶類を長さ方向に押し潰すよう構成した圧潰装置が開示されている。
【０００４】
特開２０００−３５１０９９号公報には、位置決め装置を有する天板及び載置板を有し、載置板がスライド棒と固着されると共にスライド棒の上下動により上下し、天板と載置板により空き缶を圧潰する缶圧潰機が開示されている。
【０００５】
特開平７−３０８７９７号公報には、圧潰するための重錘部とそれに下端が連結されて上方に延び、使用者が上端部を把持して上記重錘部を持ち上げ、照準を定めて下方に押し打つための操作案内棒よりなる圧潰器が開示されている。
【０００６】
実開平５−８８７９５号公報には、油圧シリンダのピストンロッド先端にプレス円盤を取り付けた缶圧潰機が開示されている。
【０００７】
実開平５−８８７９３号公報には、スライド自在な加圧体を足踏み式で上下動させ、空き缶を圧潰する装置が開示されている。
【先行技術文献】
【特許文献】
【０００８】
【特許文献１】特開２００７−２３７１８３号公報
【特許文献２】特開２００６−１２２９９８号公報
【特許文献３】特開２０００−３５１０９９号公報
【特許文献４】特開平７−３０８７９７号公報
【特許文献５】実開平５−８８７９５号公報
【特許文献６】実開平５−８８７９３号公報
【考案の概要】
【考案が解決しようとする課題】
【０００９】
ビール缶やジュース缶などの空き缶は、家庭ごみとして大量に発生しがちである。しかるに缶類のゴミ回収は回収日が少ないことも多々ある。係る現状の元、嵩張る空き缶が家庭内に大量に蓄積されることになりがちである。
【００１０】
そこで、かような不都合を回避すべく、空き缶を潰して体積を小さくすることが行われることがある。この作業は空き缶を足で踏みつぶしたり、ハンマーで殴打して行われることが多いが、危険であると共に、上下方向に均等に圧力を加えることが難しいことから、体積を効果的に減少させることも難しい。
【００１１】
更には家屋内では、かかる作業はしづらいという難点もある。
【００１２】
そこで、本考案は卓上でも使用でき、しかも対象物を効率的に押しつぶすことが可能であり、更には裁断機としても利用可能な圧潰裁断機を提供することを目的とする。
【課題を解決するための手段】
【００１３】
上記の目的を達成する本発明の構成は次の通りである。
【００１４】
（１）  請求項１に記載のプレス型ハンマーは、天板と、底板と、底板と天板に固定されるガイド部材と、ガイド部材が緩挿され、ガイド部材に沿ってスライドするスライド板と、スライド板上部に固定され、天板に緩挿される支持部材とにより構成される。
【００１５】
（２）  請求項２に記載の考案は、請求項１記載のプレス型ハンマーにおいて、スライド板下面を水平方向に平板に形成して構成される。
【００１６】
（３）  請求項３に記載の考案は、請求項１記載の圧潰裁断機において、スライド板の下面に刃物を取り付け構成した。
【考案の効果】
【００１７】
以下、上述のように構成される本考案が、如何にして課題を解決する効果を奏するかを、図面を参照しながら概説する。
【００１８】
図１及び図２は、本考案の使用方法を図示するものである。スライド板５はガイド部材４に沿って上下方向に往復動を行うことが可能になっている。スライド板５の上部には支持部材６が取り付けられており、支持部材６の頂部に設けられた把手６ａを握って上下運動を行えば、スライド板が上下動すなわち殴打動作を行うことになる。
【００１９】
係る殴打動作により、図２に示されるように底板３上に載置された空き缶Ａを、図３に示されるように上限方向に効率的に圧潰することが可能となるのである。
【００２０】
上記のように、本考案はガイド部材４に規制される形状でスライド板５が上下動するので、ハンマーを使いあるいは足で踏み潰すといった圧潰作業のように、殴打位置の不適切に伴う飛散や潰し損じが生じることが可及的に抑制されるのである。
【００２１】
しかも、かように安全確実に圧潰作業が行えるので、家屋内で作業することも可能であり、卓上で使用することでさえ可能である。
【００２２】
また、本考案はスライド板５の下面が水平方向に平板に形成してあるので、対象物に均等に圧力をかけることが可能となる。したがって、タイヤのホイールベアリングのはめ込みのように均等に圧力をかける必要がある作業に利用することが可能であり、その他用途は広範囲に及ぶものである。
【００２３】
更には、請求項３記載の考案では、スライド板の下面に刃物が取り付けてあることから家庭用の簡易裁断機としても利用可能となる。
【図面の簡単な説明】
【００２４】
【図１】本考案の斜視図。
【図２】使用状態を示す説明図。
【図３】使用状態を示す説明図。
【図４】請求項３に係る考案の正面図。
【考案を実施するための形態】
【００２５】
以下、好ましい考案の一実施形態につき、図面を参照しながら概説する。
【００２６】
図１に示すように本考案にかかるプレス型ハンマー１は、天板２、底板３、一対のガイド部材４、スライド板５、支持部材６及び支持部材６の上端に設けた把手部６ａより成るものである。
【００２７】
天板２と底板３との間に介在されるガイド部材４は、その上下端部がそれぞれ天板２、底板３に固着されている。図中ガイド部材４は二本設けられているが、むろん係る限定を受けるものではなく、スライド板４を良好にガイドできるのであれば１本以上の任意の本数を設けることが可能である。また、棒状体に限定を受けるものではなく、板材も使用可能である。
【００２８】
天板２、底板３、スライド板５は、図中いずれも方形の板材であるが、むろん係る限定を受けるものではなく、円形その他任意の形状の板材を使用可能である。ただし、スライド板５の下面は平坦にすることが望ましい。
【００２９】
スライド板５には孔部５ａが設けられており、ガイド部材４が緩挿されている。また、スライド板５の上部には支持部材６が固着されている。
【００３０】
支持部材６は棒状体あるいは板状体であり、天板２に設けられた孔部２ａに緩挿される。支持部材６の頂部には把手６ａが設けられている。把手６ａの態様は手で握りやすい形状であれば、任意の形状を採用できる。
【００３１】
請求項３記載の考案では、図４に示すようにスライド板５の下面に刃物が取り付けてある。
【００３２】
天板２、底板３、ガイド部材４、スライド板５、支持部材６及び刃物７の材質は金属あるいは硬化樹脂を使用可能である。
【符号の説明】
【００３３】
１・・プレス型ハンマー
２・・天板
２ａ・・孔部
３・・底板
４・・ガイド部材
５・・スライド板
５ａ・・孔部
６・・支持部材
６a・・把手
７・・刃物
【図１】
0003173859.tif 000003
【図２】
0003173859.tif 000004
【図３】
0003173859.tif 000005
【図４】
0003173859.tif 000006